(57)【要約】【課題】洗浄剤の使用量が少なく、短時間の作業で、効果的に浴槽水の循環配管の洗浄を行うことができる経済的かつ効率的な浴槽水循環配管洗浄具及び浴槽水循環配管洗浄方法を提供すること。【解決手段】浴槽水の循環配管２に連通した浴槽３の内壁３３の入水口３１及び出水口３２に取り付けて使用し、循環配管２に薬液Ａを導入、循環して循環配管を洗浄するものであって、薬液Ａを収容する薬液容器１１と、薬液容器１１にその一端が連通して設けられた入水口側管１２及び出水口側管１３と、入水口側管１２及び出水口側管１３の他端に設けられ、浴槽３の入水口３１及び出水口３２を覆設すると共に浴槽内壁３３に着脱可能な入水口側着脱部材１４及び出水口側着脱部材１５とを備えている浴槽水循環配管洗浄具１、及びかかる浴槽水循環配管洗浄具１を用い浴槽水循環配管洗浄方法である。【選択図】図１
2008075976.tif 000002
【特許請求の範囲】
【請求項１】
浴槽水の循環配管に連通した浴槽内壁の入水口及び出水口に取り付けて使用し、前記循環配管に薬液を導入、循環して循環配管内を洗浄する浴槽水循環配管洗浄具であって、
薬液を収容する薬液容器と、
該薬液容器にその一端が連通して設けられた入水口側管及び出水口側管と、
該入水口側管及び出水口側管の他端に設けられ、前記浴槽内壁の入水口及び出水口を覆設すると共に浴槽内壁に着脱可能な入水口側着脱部材及び出水口側着脱部材とを備えたことを特徴とする浴槽水循環配管洗浄具。
【請求項２】
入水口側着脱部材及び／又は出水口側着脱部材が、先端側周端部に密着構造形成部を有する円筒状又は角筒状の部材であることを特徴とする請求項１に記載の浴槽水循環配管洗浄具。
【請求項３】
密着構造形成部が吸着部であることを特徴とする請求項２に記載の浴槽水循環配管洗浄具。
【請求項４】
薬剤容器底面からの出水口側管接続部の高さが、浴槽底面から出水口までの高さよりも低くなるよう構成されていることを特徴とする請求項１〜３のいずれかに記載の浴槽水循環配管洗浄具。
【請求項５】
出水口側着脱部材が、補助吸着盤を備えていることを特徴とする請求項１〜４のいずれかに記載の浴槽水循環配管洗浄具。
【請求項６】
さらに、着脱部材を装着可能な被装着板を備えていることを特徴とする請求項１〜５のいずれかに記載の浴槽水循環配管洗浄具。
【請求項７】
浴槽水の循環配管に連通した浴槽内壁の入水口及び出水口に取り付けて使用する、薬液を収容する薬液容器と、該薬液容器にその一端が連通して設けられた入水口側管及び出水口側管と、該入水口側管及び出水口側管の他端に設けられ、前記浴槽内壁の入水口及び出水口を覆設すると共に浴槽内壁に着脱可能な入水口側着脱部材及び出水口側着脱部材とを備えた浴槽水循環配管洗浄具を用いた浴槽水循環配管洗浄方法であって、
薬液を薬液容器に収容する薬液収容工程と、
入水口側着脱部材及び出水口側着脱部材を浴槽内壁に、入水口及び出水口を覆って装着する着脱部材装着工程と、
循環配管のポンプを作動して、薬液容器内の薬液を循環配管内に導入、循環する薬液循環工程と、を具備することを特徴とする浴槽水循環配管洗浄方法。
【請求項８】
入水口より上方かつ出水口より下方の位置まで水を張った状態で薬液循環工程を行うことを特徴とする請求項７に記載の浴槽水循環配管洗浄方法。
【請求項９】
薬剤容器底面からの出水口側管接続部の高さが浴槽底面から出水口までの高さよりも低くなるよう構成された浴槽水循環配管洗浄具の薬剤容器を浴槽内に配置して、薬液循環工程を行うことを特徴とする請求項７又は８に記載の浴槽水循環配管洗浄方法。
【請求項１０】
着脱部材装着工程において、出水口側着脱部材を浴槽内壁に装着した後、該出水口側着脱部材を粘着材で固定することを特徴とする請求項７〜９のいずれかに記載の浴槽水循環配管洗浄方法。
【請求項１１】
着脱部材装着工程において、出水口側着脱部材に設けられた補助吸着盤を用いてさらに固定することを特徴とする請求項８〜１０のいずれかに記載の浴槽水循環配管洗浄方法。
【請求項１２】
着脱部材装着工程において、出水口周囲の浴槽内壁に被装着板を接着し、該被装着板に出水口側着脱部材を装着することを特徴とする請求項８〜１１のいずれかに記載の浴槽水循環配管洗浄方法。
【発明の詳細な説明】
【技術分野】
【０００１】
本発明は、浴槽水循環配管洗浄具及び浴槽水循環配管洗浄方法に関し、特に、大型の業務用浴槽の循環配管の洗浄に用いられる浴槽水循環配管洗浄具及び浴槽水循環配管洗浄方法に関する。
【背景技術】
【０００２】
従来、大型の業務用浴槽における浴槽水の汚れの除去及び加熱は、循環配管に装備されたポンプにより浴槽の入水口から浴槽水を吸水し、循環配管の濾過機で濾過、ボイラーで加熱した後に、出水口から浴槽水を浴槽に戻すことによって行われていたが、循環配管内に微生物由来の汚れが付着し、レジオネラ菌等の発生の原因になっていた。そのため、現在は、過酸化水素水、過炭酸ナトリウム等の酸化剤を有効成分とする洗浄剤を浴槽内の浴槽水に溶解させ、２時間程度、循環運転を行った後、浴槽水を排出し、再度、清浄な水を張って循環運転を行うことにより、循環配管内の微生物由来の汚れを除去している。
【０００３】
しかしながら、特に大型の業務用浴槽の浴槽水は大容量であるため、洗浄剤を添加しても低濃度となると共に汚れの除去には長時間の循環が必要となり、また、濯ぎのための浴槽水の入れ替えは、大量の水を要すると共に長時間を要し、不経済かつ非効率的な作業となっていた。また、業務用浴槽の洗浄は、上記のように長時間を要するため、深夜に作業を行うことになり、負担がさらに大きなものになっていた。
【０００４】
このような洗浄剤を浴槽内の浴槽水に直接添加することを回避した風呂釜の洗浄方法として、例えば、浴湯循環用の配管の入水口と出水口とを管状物で連通させると共に該配管内に洗浄剤を含む水を注入して配管を加熱する方法が提案されている（特許文献１参照。）。しかしながら、この方法は、配管の加熱により、管状物が不意にはずれ、配管の洗浄が確実に行えないだけでなく、過熱された管状物内の熱湯が飛散して、作業が非常に危険であるという問題がある。また、このような管状物で入水口及び出水口を連結する方法では、大容量の業務用浴槽の循環配管を十分に洗浄することは到底行うことができない。
【０００５】
【特許文献１】特開平３−７９９９６号公報
【発明の開示】
【発明が解決しようとする課題】
【０００６】
本発明の課題は、洗浄剤の使用量が少なく、短時間の作業で、効果的に浴槽水の循環配管の洗浄を行うことができる経済的かつ効率的な浴槽水循環配管洗浄具及び浴槽水循環配管洗浄方法を提供することにある。
【課題を解決するための手段】
【０００７】
本発明者らは、洗浄剤の使用量が多く、著しく時間がかかる不経済かつ非効率的な大型の業務用浴槽における浴槽水の循環配管の洗浄方法について鋭意研究した結果、洗浄剤の使用量が少なくても効果的に循環配管を洗浄することができ、さらには、従来５〜６時間かかった作業時間を１〜２時間程度まで短縮することができる浴槽水循環配管洗浄具及び浴槽水循環配管洗浄方法を見い出し、本発明を完成するに至った。
【０００８】
すなわち本発明は、（１）浴槽水の循環配管に連通した浴槽内壁の入水口及び出水口に取り付けて使用し、前記循環配管に薬液を導入、循環して循環配管内を洗浄する浴槽水循環配管洗浄具であって、薬液を収容する薬液容器と、該薬液容器にその一端が連通して設けられた入水口側管及び出水口側管と、該入水口側管及び出水口側管の他端に設けられ、前記浴槽内壁の入水口及び出水口を覆設すると共に浴槽内壁に着脱可能な入水口側着脱部材及び出水口側着脱部材とを備えたことを特徴とする浴槽水循環配管洗浄具や、（２）入水口側着脱部材及び／又は出水口側着脱部材が、先端側周端部に密着構造形成部を有する円筒状又は角筒状の部材であることを特徴とする上記（１）に記載の浴槽水循環配管洗浄具や、（３）密着構造形成部が吸着部であることを特徴とする上記（２）に記載の浴槽水循環配管洗浄具や、（４）薬剤容器底面からの出水口側管接続部の高さが、浴槽底面から出水口までの高さよりも低くなるよう構成されていることを特徴とする上記（１）〜（３）のいずれかに記載の浴槽水循環配管洗浄具に関する。
【０００９】
また本発明は、（５）出水口側着脱部材が、補助吸着盤を備えていることを特徴とする上記（１）〜（４）のいずれかに記載の浴槽水循環配管洗浄具や、（６）さらに、着脱部材を装着可能な被装着板を備えていることを特徴とする上記（１）〜（５）のいずれかに記載の浴槽水循環配管洗浄具や、（７）浴槽水の循環配管に連通した浴槽内壁の入水口及び出水口に取り付けて使用する、薬液を収容する薬液容器と、該薬液容器にその一端が連通して設けられた入水口側管及び出水口側管と、該入水口側管及び出水口側管の他端に設けられ、前記浴槽内壁の入水口及び出水口を覆設すると共に浴槽内壁に着脱可能な入水口側着脱部材及び出水口側着脱部材とを備えた浴槽水循環配管洗浄具を用いた浴槽水循環配管洗浄方法であって、薬液を薬液容器に収容する薬液収容工程と、入水口側着脱部材及び出水口側着脱部材を浴槽内壁に、入水口及び出水口を覆って装着する着脱部材装着工程と、循環配管のポンプを作動して、薬液容器内の薬液を循環配管内に導入、循環する薬液循環工程と、を具備することを特徴とする浴槽水循環配管洗浄方法や、（８）入水口より上方かつ出水口より下方の位置まで水を張った状態で薬液循環工程を行うことを特徴とする上記（７）に記載の浴槽水循環配管洗浄方法に関する。
【００１０】
さらに本発明は、（９）薬剤容器底面からの出水口側管接続部の高さが浴槽底面から出水口までの高さよりも低くなるよう構成された浴槽水循環配管洗浄具の薬剤容器を浴槽内に配置して、薬液循環工程を行うことを特徴とする上記（７）又は（８）に記載の浴槽水循環配管洗浄方法や、（１０）着脱部材装着工程において、出水口側着脱部材を浴槽内壁に装着した後、該出水口側着脱部材を粘着材で固定することを特徴とする上記（７）〜（９）のいずれかに記載の浴槽水循環配管洗浄方法や、（１１）着脱部材装着工程において、出水口側着脱部材に設けられた補助吸着盤を用いてさらに固定することを特徴とする上記（８）〜（１０）のいずれかに記載の浴槽水循環配管洗浄方法や、（１２）着脱部材装着工程において、出水口周囲の浴槽内壁に被装着板を接着し、該被装着板に出水口側着脱部材を装着することを特徴とする上記（８）〜（１１）のいずれかに記載の浴槽水循環配管洗浄方法に関する。
【発明の効果】
【００１１】
本発明の浴槽水循環配管洗浄具及び浴槽水循環配管洗浄方法によれば、非常に経済的かつ効率的に浴槽水の循環配管の洗浄を行うことができる。
【発明を実施するための最良の形態】
【００１２】
本発明の浴槽水循環配管洗浄具としては、浴槽水の循環配管に連通した浴槽内壁の入水口及び出水口に取り付けて使用し、前記循環配管に薬液を導入、循環して循環配管内を洗浄する洗浄具であって、薬液を収容する薬液容器と、該薬液容器にその一端が連通して設けられた入水口側管及び出水口側管と、該入水口側管及び出水口側管の他端に設けられ、前記浴槽内壁の入水口及び出水口を覆設すると共に浴槽内壁に着脱可能な入水口側着脱部材及び出水口側着脱部材とを備えたものであれば特に制限されるものではなく、特に、大型の業務用浴槽の循環配管の洗浄に用いることができ、例えば、５０００Ｌ以上の浴槽の循環配管の洗浄に好ましく用いることができる。
【００１３】
本発明の浴槽水循環配管洗浄方法によれば、薬液容器内の薬液を循環させるので、薬液濃度を高くして効果的に循環配管を洗浄することができ、また、従来５〜６時間かかった作業時間を１〜２時間程度まで短縮することができ、非常に効率的である。また、洗浄剤の使用量や水の使用量を大幅に低減することができ、非常に経済的である。
【００１４】
薬液容器としては、薬液を収容することができるものであれば特に制限されるものではなく、例えば、上部が開放状態の容器や上面に開口を有する容器が挙げられ、容器蓋を備えていてもよい。また、薬液容器の側面には、排水部が設けられていることが好ましく、これにより、内部に収容した薬液等を容易に排出することができる。薬液容器の容量としては、５０〜１０００Ｌであることが好ましく、５０〜５００Ｌであることがより好ましく、１００〜３００Ｌであることがさらに好ましい。かかる薬液容器には、入水口側管及び出水口側管が接続されるが、入水口側管接続部は、薬剤容器の側面下部に設けられることが好ましく、出水口側管接続部は、入水口側管接続部より上方に設けられることが好ましく、出水が速やかに薬液容器に戻るように、出水口側管接続部の薬剤容器底面からの高さが、浴槽底面から出水口までの高さよりも低いことがより好ましい。また、出水口側管は、上部が開放状態の薬剤容器の上端に立て掛けるように設けてもよい。
【００１５】
入水口側管及び出水口側管は、薬剤容器及び着脱部材を連通できるものであり、例えば、直径が２〜１５ｃｍ程度の管を挙げることができ、直径が３〜１０ｃｍの管であることが好ましく、直径が３〜６ｃｍの管であることがより好ましい。この入水口側管及び出水口側管は、軽量で柔軟性のあるものが好ましく、例えば、プラスチック製の蛇腹状の管を挙げることができる。また、入水口側管及びで水口側管は、それぞれ１本（１組）備えていてもよいし、それぞれ２本又はそれ以上備えていてもよい。なお、本発明における薬液容器に連通とは、薬液容器に開口を設けて接続する場合のみならず、上述のように出水口側管を立て掛ける場合も含まれる。
【００１６】
入水口側着脱部材及び出水口側着脱部材（以下、両者を合わせて、着脱部材ということがある。）としては、浴槽内壁の入水口及び出水口を覆設すると共に浴槽内壁に着脱可能なものであれば特に制限されるものではなく、例えば、先端側周端部に密着構造形成部を有する円筒状部材や、先端側周端部に密着構造形成部を有する角筒状部材（以下、両者を合わせて、円筒・角筒状部材ということがある。）を備えたものを好ましく例示することができ、密着構造形成部としては、例えば、粘着材を備えた部位や吸着部を挙げることができ、密着性が良好なことから、吸着部であることが好ましい。着脱部材が円筒状部材を備える場合、かかる円筒状部材の直径としては、入水口及び出水口を覆設することができる大きさであればよく、例えば、５〜３０ｃｍ程度であることが好ましく、１０〜１５ｃｍ程度であることがより好ましい。また、着脱部材は補助吸着盤を備えていることが好ましく、特に、出水口側着脱部材が備えていることが好ましい。出水口側は、出水の水圧で円筒・角筒状部材が脱落しやすいが、補助的に吸着盤を備えていることにより、これを防止することができる。吸着盤は、例えば、２〜８個程度備えることができ、２〜６個程度が好ましい。
【００１７】
また、本発明の浴槽水循環配管洗浄具は、着脱部材を装着可能な被装着板を備えていることが好ましい。この被装着板としては、例えば、円筒・角筒状部材及び／又は補助吸着盤を装着するための、入水口及び出水口部分が空洞となったドーナツ状の円形、矩形の平板や、補助吸着盤が吸着するための、入水口及び／又は出水口の周囲に配置される円形、矩形等の複数の平板等を挙げることができる。この被装着板は、特に、出水口側に設けることが好ましい。出水口側は、浴槽の比較的上部に設けられているため、水面に浮遊するゴミ、湯垢等の付着や、水面付近で蒸発濃縮された温泉成分の無機物の付着により、浴槽内壁に微妙な凹凸が生じて着脱部材の装着が困難な場合があるが、この被装着板を備えていることにより、より強固に着脱部材を保持することができ、作業中のトラブルを防止することができる。この被装着板は、着脱部材が装着しやすいもの、特に円筒・角筒状部材の吸着部や吸着盤が吸着しやすいものであればよく、ポリ塩化ビニル等のプラスチック製、金属製、セラミックス製の平板を挙げることができ、また、浴槽内壁には、例えば、両面粘着テープ等の粘着材を用いて接着することができる。
【００１８】
なお、浴槽の入水口は、浴槽底部の汚れを吸引除去するために比較的大きな面積のものもあり、円筒・角筒状部材で覆うことができない場合も考えられるが、この場合、入水口全面をカバーし、かつ入水口よりも小さな空洞部（開口）を有したドーナツ状の円形、矩形の被装着板を用いることにより、そのような大きな入水口の浴槽に対しても対応可能となる。すなわち、入水口側着脱部材を被装着部材の空洞部を覆って被装着板に装着し、被装着部材の空洞部を入水口に合わせて設置した後、又は被装着部材の空洞部を入水口に合わせて設置し、入水口側着脱部材を被装着部材の空洞部を覆って被装着板に装着した後、循環配管のポンプを作動させることにより、吸引によって着脱部材及び被吸着板が保持されることとなる。したがって、粘着材での接着は必要なく、水中であっても被装着板の設置を行うことができる。
【００１９】
本発明の浴槽水循環配管洗浄方法としては、浴槽水の循環配管に連通した浴槽内壁の入水口及び出水口に取り付けて使用する、薬液を収容する薬液容器と、該薬液容器にその一端が連通して設けられた入水口側管及び出水口側管と、該入水口側管及び出水口側管の他端に設けられ、前記浴槽内壁の入水口及び出水口を覆設すると共に浴槽内壁に着脱可能な入水口側着脱部材及び出水口側着脱部材とを備えた浴槽水循環配管洗浄具を用いた洗浄方法であって、薬液を薬液容器に収容する薬液収容工程と、入水口側着脱部材及び出水口側着脱部材を浴槽内壁に、入水口及び出水口を覆って装着する着脱部材装着工程と、循環配管のポンプを作動して、薬液容器内の薬液を循環配管内に導入、循環する薬液循環工程とを具備する方法であれば特に制限されるものではなく、薬液収容工程及び着脱部材装着工程は、いずれを先に行ってもよく同時に行ってもよい。また、本発明の浴槽水循環配管洗浄方法は、上記本発明の浴槽水循環配管洗浄具を用いて実施することができる。
【００２０】
薬液収容工程としては、薬液を薬液容器に収容する工程であれば特に制限されるものではなく、固形状又は液状の洗浄剤を予め水に溶解したものを薬剤容器に投入してもよく、薬剤容器内に洗浄剤及び水を投入して薬剤容器内で洗浄剤を溶解してもよい。洗浄剤を溶解した薬液の温度としては、２０〜５０℃であることが好ましく、３０〜５０℃であることがより好ましく、３５〜４５℃であることがさらに好ましい。すなわち、洗浄剤を溶解する際に、上記温度程度の温水を用いることが好ましい。本発明の浴槽水循環配管洗浄方法においては、浴槽内の浴槽水を加熱するのではなく、薬液容器の容量分の水を加熱するだけでよいので、比較的高温の薬液を容易に得ることができ、これにより、より効果的な洗浄を行うことができる。洗浄剤としては、通常の浴槽水の循環配管の洗浄剤として用いられるものを使用することができ、例えば、過酸化水素水、過炭酸ナトリウム、発泡性過炭酸ナトリウム等を挙げることができ、溶解が容易な点から発泡性過炭酸ナトリウムが好ましい。
【００２１】
着脱部材装着工程としては、入水口側着脱部材及び出水口側着脱部材を浴槽内壁に、入水口及び出水口を覆って装着する工程であれば特に制限されるものではなく、着脱部材（円筒・角筒状部材）を浴槽内壁に装着した後、着脱部材を粘着テープで固定することができ、上記のように出水口側は脱落しやすいことから、特に出水口側着脱部材を粘着材で固定することが好ましい。また、着脱部材に設けられた補助吸着盤によって円筒・角筒状部材の固定を補強することもでき、特に出水口側が好ましいことは上述の通りである。また、入水口及び／又は出水口周囲の浴槽内壁に上記被装着板を接着し、かかる被装着板に円筒・角筒状部材の密着形成部及び／又は補助吸着盤を装着することが好ましい。特に出水口側においては、出水口周囲の浴槽内壁に微細な凹凸を生じている場合が多く、出水による圧力で着脱部材が外れやすいため、被装着板が好ましく使用される。また、着脱部材装着工程においては、入水口より上方かつ出水口より下方まで水を張った状態で行われることが好ましい。これにより、浴槽の下部に位置する入水口にも上方から容易に着脱部材を装着することができ、さらには、出水口側着脱部材や被装着板の粘着テープ等での接着が可能となる。
【００２２】
また、浴槽の入水口が大きく、円筒・角筒状部材で覆うことができない場合、入水口全面をカバーし、かつ入水口よりも小さな空洞部（開口）を有したドーナツ状の円形、矩形の被装着板を用いることにより、そのような大きな入水口の浴槽に対しても対応可能となることは上述の通りである。なお、着脱部材を被装着板に装着する場合も当然に本発明に含まれる。
【００２３】
薬液循環工程としては、循環配管のポンプを作動して、薬液容器内の薬液を循環配管内に導入、循環する工程であれば特に制限されるものではなく、薬液の循環時間としては、１０〜１２０分であることが好ましく、２０〜８０分であることがより好ましく、３０〜６０分であることがさらに好ましい。かかる薬液循環工程は、薬剤容器底面からの出水口側管接続部の高さが浴槽底面から出水口までの高さよりも低くなるよう構成された浴槽水循環配管洗浄具の薬剤容器を浴槽内に配置して行われることが好ましい。これにより、出水がスムーズに薬液容器内に返送され、着脱部材の脱落を防止して、より確実に浴槽水の循環配管の洗浄を行うことができる。また、薬液循環工程は、上記着脱部材装着工程と同様に、入水口より上方かつ出水口より下方まで水を張った状態で行われることが好ましい。これにより、入水口側着脱部材が浴槽内の浴槽水の水圧で保持され、脱落するのを防止することができ、また、循環配管のポンプに空気を吸引してポンプが空回りすることを防止することができる。また、出水口が水中にないために、着脱部材や被装着板の浴槽内壁への接着を両面粘着テープ等の粘着材で行うことが可能となる。
【００２４】
また、本発明の浴槽水循環配管洗浄方法においては、薬液循環工程後に、循環した薬液を薬液容器から排出すると共に、清浄な水を薬液容器内に投入し、かかる清浄な水を循環配管内に導入、循環する濯ぎ工程を具備することが好ましい。濯ぎ工程で使用する水の温度としては特に制限されない。なお、薬液の薬液容器からの排出は、別ポンプを用いて行ってもよいし、出水側管を薬液容器から外して浴槽内又は浴槽外へ排出してもよい。また、薬液容器の側面に設けられた排水部から浴槽内へ排出してもよい。また、濯ぎ工程においては、排出部から排出を行いつつ、同時に清浄な水を薬液容器に導入することもできる。
【００２５】
以下、図面を参照しつつ本発明をより具体的に説明するが、本発明の技術的範囲はこれに限定されるものではない。図１は、本発明の一実施形態に係る浴槽水循環配管洗浄具の使用状態を示す概略説明図であり、図２は、本発明の一実施形態に係る浴槽水循環配管洗浄具の着脱部材の装着状態の説明図であり、図３は、本発明の一実施形態に係る浴槽水循環配管洗浄具の出水口側着脱部材の装着状態の拡大説明図であり、図４は、本発明の一実施形態に係る浴槽水循環配管洗浄具の被装着板の説明図であり、本発明の一実施形態に係る浴槽水循環配管洗浄具の着脱部材の断面図である。
【００２６】
図１及び図２に示すように、本発明の浴槽水循環配管洗浄具１は、浴槽水の循環配管２に連通した浴槽３の内壁３３の入水口３１及び出水口３２に取り付けて使用し、循環配管２に薬液Ａを導入、循環して循環配管を洗浄するものであって、薬液Ａを収容する薬液容器１１と、薬液容器１１にその一端が連通して設けられた入水口側管１２及び出水口側管１３と、入水口側管１２及び出水口側管１３の他端に設けられ、浴槽３の入水口３１及び出水口３２を覆設すると共に浴槽内壁３３に着脱可能な入水口側着脱部材１４及び出水口側着脱部材１５とを備えている。
【００２７】
薬液容器１１は、内容量が２００Ｌ程度の上方が開放状態となったプラスチック製の容器であって、側面下部に入水口側管１２の一端が連通状態で接続され、側面上部に出水口側管１３の一端が連通状態で接続されている。入水口側管１２及び出水口側管１３は、直径５ｃｍ、長さ３００ｃｍの蛇腹状のプラスチック製の管であり、柔軟性を有しており、容易に折れ曲がらず、薬液の通路を確実に保持する。かかる入水口側管１２の他端には入水口側着脱部材１４が取り付けられ、出水口側管１３の他端には出水口側着脱部材１５が取り付けられている。
【００２８】
図３及び図５に示すように、出水口側着脱部材１５は、先端側周端部に吸着部１５ａを有した円筒状着脱部材１５ｂと、４個の補助吸着盤１５ｃとを備えている。円筒状着脱部材１５ｂは、直径１２ｃｍ、高さ８ｃｍ程度の円筒状部材であって、吸着部１５ａが設けられているのとは反対側の頂面に金属製の棒状平板１５ｄが並行に２本設けられ、棒状平板１５ｄの両側にそれぞれ連結ひも１５ｅを介して補助吸着盤１５ｃが設けられている。なお、入水口側着脱部材１４も出水口側着脱部材１５と同様の構成となっている。
【００２９】
また、図４に示すように、浴槽内壁３３には、被吸着平板１６が両面粘着テープ等で接着されており、円筒状着脱部材１５ｂ及び吸着盤１５ｃは、この被吸着平板１６に吸着して固定される。被吸着平板１６は、出水口３２の部分に開口が設けられたプラスチック製の平板であって、円筒状着脱部材１５ｂ及び吸着盤１５ｃの吸着をより強固なものにする。
【００３０】
以上のような本発明の一実施形態に係る浴槽水循環配管洗浄具１を用いて循環配管を洗浄するには、まず、浴槽３内に浴槽水が張られている場合には、浴槽３内の浴槽水を出水口３２の下方まで低下させる。なお、浴槽３内の浴槽水がすでに排出されている場合には、入水口側着脱部材１４の上方、出水口側着脱部材１５の下方の位置まで、水を投入してもよいし、空の状態のままでもよい。
【００３１】
次いで、４０℃程度の温水を投入した薬液容器１１を浴槽３内に配置し、浴槽内壁３３の出水口３２周囲に被吸着平板１６を粘着テープで固着した後、円筒状着脱部材１５ｂ及び吸着盤１５ｃを浴槽内壁３３に装着すると共に、円筒状着脱部材１５ｂ及び吸着盤１５ｃを被吸着平板１６に装着して、浴槽水循環配管洗浄具１の設置を行う。その後、発泡性過炭酸ナトリウムを主成分とする洗浄剤５ｋｇ程度を薬液容器１１に投入し、発泡がおさまるまで２分程度放置する。
【００３２】
続いて、循環配管に装備されたポンプを作動させて薬液Ａを１時間程度循環させることにより、循環配管内の洗浄を行う。薬液による洗浄の後、薬液容器１１内の薬液を排出すると共に、清浄な水を投入し、さらに循環配管に装備されたポンプを作動させ、３０分程度循環配管内の濯ぎを行う。濯ぎの後、浴槽水循環配管洗浄具１を取り外して洗浄作業を終了する。この洗浄作業は、２時間程度で終了する。
【図面の簡単な説明】
【００３３】
【図１】本発明の一実施形態に係る浴槽水循環配管洗浄具の使用状態を示す概略説明図である。
【図２】本発明の一実施形態に係る浴槽水循環配管洗浄具の着脱部材の装着状態の説明図である。
【図３】本発明の一実施形態に係る浴槽水循環配管洗浄具の出水口側着脱部材の装着状態の拡大説明図である。
【図４】本発明の一実施形態に係る浴槽水循環配管洗浄具の被装着板の説明図である。
【図５】本発明の一実施形態に係る浴槽水循環配管洗浄具の着脱部材の断面図である。
【符号の説明】
【００３４】
１    浴槽水循環配管洗浄具
１１  薬液容器
１２  入水口側管
１３  出水口側管
１４  入水口側着脱部材
１５  出水口側着脱部材
１５ａ吸着部
１５ｂ円筒状着脱部材
１５ｃ吸着盤
１５ｄ棒状平板
１５ｅ連結ひも
１６  被吸着平板
２    循環配管
３    浴槽
３１  入水口
３２  出水口
３３  浴槽内壁
【図１】
2008075976.tif 000003
【図２】
2008075976.tif 000004
【図３】
2008075976.tif 000005
【図４】
2008075976.tif 000006
【図５】
2008075976.tif 000007